(57)【特許請求の範囲】
【請求項１】
基端側に貫通孔からなる結束孔を有する多数枚のテープと、
前記結束孔に挿通されて前記多数枚のテープを結束する線状の結束具と
を備えるポンポン。
【請求項２】
前記テープは、前記結束孔を幅方向に並べるようにして２つ備え、少なくとも基端側の一部が当該２つの結束孔を重ねるようにして幅方向に二つ折りにされ、
前記結束具が前記テープの少なくとも基端側の一部を二つ折りにした状態で当該２つの結束孔に挿通されている請求項１に記載のポンポン。
【請求項３】
一、又は複数の暖簾状シートと、
前記一、又は複数の暖簾状シートを結束する線状の結束具と
を備え、
前記暖簾状シートは、端縁に沿って並ぶ一又は、複数の切れ込みにより分断される複数のテープ部と、前記複数のテープ部を基端側で連結する基端部と、前記基端部に沿って設けられる貫通孔からなる複数の結束孔とを有し、
前記結束具は、前記結束孔に挿通されて前記暖簾状シートを結束しているポンポン。
【請求項４】
短冊状の多数枚のテープの基端側に結束孔を穿設する結束孔形成工程と、
結束孔を開けた多数枚のテープの前記結束孔に線状の結束具を通し、前記多数枚のテープを結束する結束工程と
を備えるポンポンの製造方法。
【請求項５】
前記結束孔形成工程の前、又は後に、前記多数枚のテープの少なくとも基端側の一部を二つ折りにするテープ二つ折り工程を備え、
前記結束孔形成工程において、前記多数枚のテープの基端側に幅方向に並ぶ２つの結束孔を穿設し、
前記結束工程において、前記多数枚のテープの少なくとも基端側を二つ折りにした状態で前記結束孔に前記結束具を通す請求項４に記載のポンポンの製造方法。
【請求項６】
シート材の端縁に沿って一又は、複数の切れ込みを入れ、当該切れ込みにより分断される複数のテープ部と、前記複数のテープ部を基端側で連結する基端部を備えた暖簾状シートを形成する暖簾状シート形成工程と、
前記暖簾状シート形成工程と前後して、前記シート材に、前記基端部に沿って複数の結束孔を列設する結束孔列設工程と、
一、又は複数枚の前記暖簾状シートを、その複数の結束孔に線状の結束具を挿通して、前記一、又は複数の暖簾状シートを引き絞ってまとめる暖簾状シート絞り工程と、
を備えるポンポンの製造方法。
【発明の詳細な説明】
【技術分野】
【０００１】
この発明は、学生やチアリーダーが、運動会の応援時やスポーツ観戦時に手に持って振るいわゆるポンポンに関する。
【背景技術】
【０００２】
近年、チアリーダー等が応援に使用するポンポンは、小学校の運動会等でも広く用いられている。このポンポンとして、古くは、紙や樹脂製のシートを数ミリ幅に切断した細いひも状のテープをハタキ状に束ねて用いられていた（例えば、特許文献１参照）。
【０００３】
ところが、この特許文献１のようなポンポンは、テープが細いため、手で持った位置から下へ垂れ下がってしまって見栄えが悪く、また扱いにくいという問題があった。
【０００４】
そこで最近では、垂れ下がらず手元で丸い形状を維持して見栄えが良い数センチ幅の幅広のテープを束ねたものが好まれるようになっている。この幅広のテープを用いたポンポンは、図９に示したように、テープ９０１を多数枚重ね、これを輪状の把手２と共に結束具３で束ねた状態として販売され、購入者のほうで、図１０に示すように、テープを球状に広げて使用している。
【先行技術文献】
【特許文献】
【０００５】
【特許文献１】特開２００１−１２５５１９
【発明の概要】
【発明が解決しようとする課題】
【０００６】
しかし、図９、図１０に示したポンポンが小学校の運動会で用いられる場合には、生徒が自分でテープを広げることになり、特に低学年の生徒には、テープを綺麗に半球状に広げるのが難しいという問題があった。
本発明は、かかる課題に鑑みてなされたものであり、低学年の生徒であっても容易に広げることが可能なポンポンの提供を目的とする。
【課題を解決するための手段】
【０００７】
上記課題を解決するためになされた発明は、基端側に貫通孔からなる結束孔を有する多数枚のテープと、前記結束孔に挿通されて前記多数枚のテープを結束する線状の結束具と
を備えるポンポンである。ここで、「多数」は、複数と同義とする。
【０００８】
本発明のポンポンは、このように、結束孔に通した結束具回りにテープが回動するので多数枚のテープを層状に重ねた状態から容易にテープを球状に広げることができる。
【０００９】
本発明に係るポンポンは、前記テープが、前記結束孔を幅方向に並べるようにして２つ備え、少なくとも基端側の一部が当該２つの結束孔を重ねるようにして幅方向に二つ折りにされ、前記結束具が前記テープの少なくとも基端側の一部を二つ折りにした状態で当該２つの結束孔に挿通されていることが好ましい。こうすることで、ポンポンに腰とボリュームを持たせることができる。
【００１０】
本発明は、一、又は複数の暖簾状シートと、前記一、又は複数の暖簾状シートを結束する線状の結束具とを備え、前記暖簾状シートは、端縁に沿って並ぶ一、又は、複数の切れ込みにより分断される複数のテープ部と、前記複数のテープ部を基端側で連結する基端部と、前記基端部に沿って設けられる貫通孔からなる複数の結束孔とを有し、前記結束具は、前記結束孔に挿通されて前記暖簾状シートを結束しているポンポンを含む。
こうすることで、ポンポンからテープが千切れて抜け落ちることを抑制できる。
【００１１】
本発明は、短冊状の多数枚のテープの基端側に結束孔を穿設する結束孔形成工程と、結束孔を開けた多数枚のテープの前記結束孔に線状の結束具を通し、前記多数枚のテープを結束する結束工程とを備えるポンポンの製造方法を含む。こうすることで、容易に多数枚のテープを結束することができる。
【００１２】
前記ポンポンの製造方法は、  前記結束孔形成工程の前に、前記多数枚のテープの少なくとも基端側の一部を二つ折りにするテープ二つ折り工程を備え、前記結束孔形成工程において、前記多数枚のテープの基端側に幅方向に並ぶ２つの結束孔を穿設し、前記結束工程において、前記多数枚のテープの少なくとも基端側を二つ折りにした状態で前記結束孔に前記結束具を通すことが好ましい。
こうすることで、この２つの結束孔に結束具を通す作業を効率よく行えるとともに、テープの基端部を二つ折りにした状態で結束することができる。
【００１３】
本発明は、シート材の端縁に沿って、一、又は複数の切れ込みを入れ、当該切れ込みにより分断される複数のテープ部と、前記複数のテープ部を基端側で連結する基端部を備えた暖簾状シートを形成する暖簾状シート形成工程と、前記暖簾状シート形成工程と前後して、前記シート材に、前記基端部に沿って複数の結束孔を列設する結束孔列設工程と、一、又は複数枚の前記暖簾状シートを、その複数の結束孔に線状の結束具を挿通して、前記一、又は複数の暖簾状シートを引き絞ってまとめる暖簾状シート絞り工程と、を備えるポンポンの製造方法を含む。
こうすることで、テープがバラバラのポンポンに比べて、シート材をテープに切断する手間やテープを重ねる手間を省略することができる。
【発明の効果】
【００１４】
以上説明したように、本発明のポンポンによれば、低学年の生徒であっても容易に半球状に広げることができる。
【図面の簡単な説明】
【００１５】
【図１】本発明の第１実施形態に係るポンポンを示した斜視図である。
【図２】図１に示したテープの正面図である。
【図３】図１に示したポンポンの分解斜視図である。
【図４】図１に示したポンポンのテープを広げる前の状態を示した斜視図である。
【図５】図４に示した状態からテープを広げる様子を平面視で示した説明図である。
【図６】本発明の第２実施形態に係るポンポンの暖簾状シートを示す正面図である。
【図７】図６の暖簾状シート複数枚を輪状に並べて結束具で連結した状態を模式的に示す斜視図である。
【図８】図７の暖簾状シートを引き絞る様子を示した説明図である。
【図９】従来のポンポンのテープを広げる前の斜視図である。
【図１０】図９のポンポンのテープを広げる様子を示した説明図である。
【発明を実施するための形態】
【００１６】
以下、適宜図面を用いながら本発明の実施形態について詳述する。ただし、本発明は、以下の実施形態に限定されるものではない。
【００１７】
（第１実施形態）
図１は、本発明の第１実施形態に係るポンポン１００を示している。ポンポン１００は運動会やスポーツの試合を応援する学生やチアリーダーが、手に持って振る等するものである。ポンポン１００は、図１に示すように、多数枚のテープ１と、把手２と、結束具３とを備えている。
【００１８】
テープ１は、図２に示すように、紙や樹脂等のシート材を短冊状、又は長方形に切断したものを、幅方向の中心を通り長手方向に延びる折線１ａで二つ折りにして形成されている。折線１ａは、基端側の一部のみに設けることが好ましく、こうすることで、半球状に広がり易いポンポンを形成できる。テープ１は、図２に示すように、基端部における折線１ａを挟んで両側に、１つずつ計２つの結束孔１ｂ，１ｂが穿設されている。２つの結束孔１ｂ，１ｂは、テープ１を二つ折りにすると、丁度重なるように設けられている。テープ１としては、例えば、いわゆるミラーシートと呼ばれるプラスチック製シートが意匠性に優れる点で好ましく用いられる。
【００１９】
把手２は、弾性糸を編み込んだ筒状編地の両端を丸めた輪状をなしている。多数枚のテープ１，１，…は、結束具３を結束孔１ｂに挿通され、把手２とともに結束されている。多数枚のテープ１，１，…は、図１に示すように、折線１ａの方向が各テープにより異なっており、結束具３の周りに回動するようにして半球状に広げられている。
【００２０】
結束具３は、本実施形態では、市販の結束バンドを用いており、表面にラチェットの設けられたバンド部と、当該ラチェットを係止する係止爪を備えた角筒状のヘッド部とを備えている。
【００２１】
次に、第１実施形態に係るポンポン１００の製造方法について説明する。ポンポン１００の製造方法は、結束孔形成工程Ｓ１と、テープ二つ折り工程Ｓ２と、結束工程Ｓ３と、テープ拡開工程Ｓ４とを備えている。
【００２２】
（結束孔形成工程Ｓ１）
結束孔形成工程Ｓ１は、短冊状の多数枚のテープ１，１，…の基端側に結束孔１ｂを穿設する工程である。図２に示すように穴あけパンチにより全てのテープ１，１，…の基端部に、幅方向に並ぶ２つの結束孔１ｂ，１ｂを穿設する。
【００２３】
（テープ二つ折り工程Ｓ２）
テープ二つ折り工程Ｓ２は、多数枚のテープ１をそれぞれ二つ折りにする工程である。長方形のテープ１を幅方向の中心に長手方向に延びる折線１ａを形成すべく、テープ１の２つの結束孔１ｂ，１ｂが重なるように折り曲げる。折線１ａは、テープ１の全長に設けてもよいが、テープ１の基端側の一部のみに設けることが好ましい。
【００２４】
（結束工程Ｓ３）
結束工程Ｓ３は、結束孔１ｂを開けた多数枚のテープの結束孔１ｂに線状の結束具３を通し、多数枚のテープを結束する工程である。図３では、多数枚のテープ１，１，…を重ねた状態で結束具３を挿通する様子を記載しているが、テープ１，１，…を重ねずに１枚ずつ結束具３に通すようにしてもよい。本実施形態では、多数枚のテープ１，１，…と同時に把手２も結束する。ここで、テープ１，１，…は、図３に示すように、折線１ａの向きを適宜に変えるようにして、略半数のテープ１，１，…の折線１ａが同じ向きになり、残りのテープ１，１，…の折線１ａがその逆向きとなうように重ねる。こうすることで、ポンポン１００を全体としてバランスの取れた形状にすることができる。
【００２５】
（テープ拡開工程Ｓ４）
テープ拡開工程Ｓ４は、多数枚のテープ１，１，…をそれぞれ結束具３の周りに回動するようにして、全体として牡丹や菊のように半球状、あるいはドーム状に形成する工程である。結束工程Ｓ３の終了後、図５に示すように、テープ１，１，…を１枚ずつ結束具３の周りに回動させて、全体として、図１のような半球状となるように拡開する。
このように、ポンポン１００は、結束具３を軸としてテープ１を回動できるため容易にポンポンを半球状にすることができる。
【００２６】
（第２実施形態）
図７、図８は、本発明の第２実施形態に係るポンポン２００の製造途中の様子を示している。ポンポン２００は、複数（図示の例では４枚）の暖簾状シート４，４，…と、複数の暖簾状シート４，４，…を結束する線状の結束具５とを備えている。ただし、暖簾状シート４は、１枚であってもよい。
【００２７】
暖簾状シート４は、長方形のシート材からなり、下端縁４ｄに沿って並ぶ一、又は複数の切れ込み４ｂにより分断される複数のテープ部４ａ，４ａ…と、複数のテープ部４ａ，４ａ…を基端側（図５の上側）で連結する基端部４ｅと、基端部４ｅに沿って設けられる貫通孔からなる複数の結束孔４ｃ，４ｃ，…とを有している。
結束具５は、紐や針金等の線材からなり、暖簾状シートの内側と外側を交互に往復するように結束孔４ｃ，４ｃ，…に挿通されている。
【００２８】
次に、第２実施形態に係るポンポン２００の製造方法について説明する。
第２実施形態のポンポン２００の製造方法では、暖簾状シート形成工程Ｓ５と、結束孔列設工程Ｓ６と、暖簾状シート絞り工程Ｓ７とを有している。
【００２９】
（暖簾状シート形成工程Ｓ５）
暖簾状シート形成工程Ｓ５は、暖簾状シート４を形成する工程である。暖簾状シート形成工程Ｓ５では、長方形のシート材の下辺（図５の下辺）４ｄから上辺４ｆ側へ向けて、互いに平行な複数（図示の例では７本）の切れ込み４ｂ，４ｂ，…を入れて、複数（図示の例では８本）のテープ部４ａ，４ａ，…と、上辺４ｆ沿って設けられる基端部４ｅとを形成する。ただし、テープ部４ａが２枚で、切れ込み４ｂが１本であってもよい。
【００３０】
（結束孔列設工程Ｓ６）
結束孔列設工程Ｓ６は、暖簾状シート４とする前のシート材（不図示）、もしくは暖簾状シート４の、基端部に沿って複数の結束孔４ｃ，４ｃ，…を穿設する工程である。結束孔列設工程Ｓ６は、暖簾状シート形成工程Ｓ５より前に行ってもよいし、暖簾状シート形成工程Ｓ５より後に行ってもよい。複数枚の暖簾状シート４（シート材）を重ねて、穴あけパンチで複数枚の暖簾状シート４（シート材）のすべてに同時に結束孔４ｃ，４ｃ，…を穿設する。
【００３１】
（暖簾状シート絞り工程Ｓ７）
暖簾状シート絞り工程Ｓ７は、一、又は複数枚の暖簾状シート４，４，…を、その複数の結束孔４ｃ，４ｃ，…に線状の結束具５を挿通して、一、又は複数の暖簾状シート４を引き絞ってまとめる工程である。図７に示すように一、又は複数枚も暖簾状シート４，４，…を筒状に並べて、当該筒の内側と外側を交互に往復するようにして、線状の結束具５を、結束孔４ｃ，４ｃ，…に挿通する。結束具５を挿通し終わったら、結束具５の両端を結ぶ（図７の符号５ａ参照）
この状態で、すべてのテープ部４ａ，４ａ，…を結束具５の一方へ引き絞って、ハタキ状に形成する。
【００３２】
この後、結束具５により、テープ部４ａ，４ａ，…の基端部に巻き付けて結束する。別途用意した結束具３を結束孔４ｃ，４ｃ，…に通してもよい。
【００３３】
本発明に係るポンポンは、上記の実施形態に限らず、例えば、把手は、輪状に限らず棒状でも紐状でもよく、また、把手を備えなくともよい。結束具は、線状であれば、結束バンドに限らず、ツイストタイでもよく、単なるひもや針金でもよい。テープは、折線を設けなくともよいし、３つ折り以上にしてもよい。また、ポンポンの基端部に筒状のカバーを被せてもよい。
【符号の説明】
【００３４】
ポンポン１００，２００
テープ１
結束具３，５
結束孔１ｂ，４ｃ
暖簾状シート４
結束具５
端縁４ｄ
切れ込４ｂ
テープ部４ａ
基端部４ｅ
【図１】
0006976595.tif 000002
【図２】
0006976595.tif 000003
【図３】
0006976595.tif 000004
【図４】
0006976595.tif 000005
【図５】
0006976595.tif 000006
【図６】
0006976595.tif 000007
【図７】
0006976595.tif 000008
【図８】
0006976595.tif 000009
【図９】
0006976595.tif 000010
【図１０】
0006976595.tif 000011